【手続補正書】
【提出日】平成16年9月16日(2004.9.16)
【手続補正１】
【補正対象書類名】明細書
【補正対象項目名】特許請求の範囲
【補正方法】変更
【補正の内容】
【特許請求の範囲】
【請求項１】
モータと、前記モータにより回転駆動される装置本体側ギアであって、その回転中心軸線上にねじれた面によって構成された連結穴を有する装置本体側ギアを備えた電子写真画像形成装置本体に着脱可能なプロセスカートリッジであって、
電子写真感光体ドラムと、
前記電子写真感光体ドラムに作用するプロセス手段と、
前記電子写真感光体ドラムの長手方向の端部に設けられた、前記連結穴と嵌合可能なねじれていない連結突起と、
を備えており、
前記装置本体側ギアが前記連結穴と連結突起が嵌合して回転した際、前記連結穴と嵌合した前記連結突起を介して前記装置本体から前記電子写真感光体ドラムが回転駆動力を受けることを特徴とするプロセスカートリッジ。
【請求項２】
モータと、前記モータからの駆動力を受ける回転体と、前記回転体の回転中心と同一中心で非円形断面を持つねじれた連結穴とを備えて記録媒体に画像を形成する電子写真画像形成装置に着脱可能なプロセスカートリッジにおいて、
電子写真感光体ドラムと、
前記電子写真感光体ドラムに作用するプロセス手段と、
前記電子写真感光体ドラムの回転中心と同一中心で非円形断面を有し、前記電子写真感光体ドラムの長手方向端部に設けられたねじれていない連結突起と、を有し、
ここで前記電子写真感光体ドラムの前記連結突起は前記回転体の前記連結穴に対して連結突起と連結穴間に相対回転運動が許容される第１の相対回転位置と、その回転方向には相対回転運動が妨げられる第２の相対回転位置と、をとることができる寸法と形状を有し、回転体の回転中心と電子写真感光体ドラムの回転中心は実質的に調芯されることを特徴とするプロセスカートリッジ。
【請求項３】
モータと、前記モータにより回転駆動される装置本体側ギアであって、その回転中心軸線上にねじれていない連結突起を有する装置本体側ギアを備えた電子写真画像形成装置本体に着脱可能なプロセスカートリッジであって、
電子写真感光体ドラムと、
前記電子写真感光体ドラムに作用するプロセス手段と、
前記電子写真感光体ドラムの長手方向の端部に設けられねじれた面で構成された連結穴と、
を備えており、
前記装置本体側ギアが前記連結穴と連結突起が嵌合して回転した際、前記連結突起と嵌合した前記連結穴を介して前記装置本体から前記電子写真感光体ドラムが回転駆動力を受けることを特徴とするプロセスカートリッジ。
【請求項４】
モータと、前記モータからの駆動力を受ける回転体と、前記回転体の回転中心と同一中心でねじれていない連結突起とを備えて記録媒体に画像を形成する電子写真画像形成装置に着脱可能なプロセスカートリッジにおいて、
電子写真感光体ドラムと、
前記電子写真感光体ドラムに作用するプロセス手段と、
前記電子写真感光体ドラムの回転中心と同一中心で前記電子写真感光体ドラムの長手方向端部に設けられた、ねじれた面によって構成された連結穴と、を有し、
ここで前記電子写真感光体ドラムの前記連結穴は前記回転体の前記連結突起に対して連結突起と連結穴間で相対回転運動が許容される第１の相対回転位置と、その回転方向には相対回転運動が妨げられる第２の相対回転位置と、をとることができる寸法と形状を有し、回転体の回転中心と電子写真感光体ドラムの回転中心は実質的に調芯されることを特徴とするプロセスカートリッジ。
【請求項５】
モータと、前記モータにより回転駆動される装置本体側ギアであって、その回転中心軸線上にねじれていない連結穴を有する装置本体側ギアを備えた電子写真画像形成装置本体に着脱可能なプロセスカートリッジであって、
電子写真感光体ドラムと、
前記電子写真感光体ドラムに作用するプロセス手段と、
前記連結穴と嵌合するねじれた連結突起であって、前記電子写真感光体ドラムの長手方向の端部に設けられた連結突起と、を備えており、
前記装置本体側ギアが前記連結穴と連結突起が嵌合して回転した際、前記連結穴と嵌合した前記連結突起を介して前記装置本体から前記電子写真感光体ドラムが回転駆動力を受けることを特徴とするプロセスカートリッジ。
【請求項６】
前記連結突起は連結穴の入口で当接して、駆動力を伝達する請求項１から４の何れか１つに記載のプロセスカートリッジ。
【請求項７】
前記連結突起は連結穴の斜面には当接しない請求項６に記載のプロセスカートリッジ。
【請求項８】
前記連結突起は略角柱である請求項１から７の何れか１つに記載のプロセスカートリッジ。
【請求項９】
前記略角柱は略三角柱である請求項８に記載のプロセスカートリッジ。
【請求項１０】
前記連結突起は略角錐である請求項１から７の何れか１つに記載のプロセスカートリッジ。
【請求項１１】
前記略角錐は略三角錐である請求項１０に記載のプロセスカートリッジ。
【請求項１２】
前記略角柱は、角部分を面取りされている請求項８に記載のプロセスカートリッジ。
【請求項１３】
前記連結突起はフランジ部材に設けられている、ここで前記フランジ部材は前記電子写真感光体ドラムの有する筒の内面に嵌合する嵌合部と、カートリッジフレームに支持される軸部と、を有している、そして前記連結突起は前記軸部の先端に設けられている請求項１又は２もしくは５から７の何れか１つに記載のプロセスカートリッジ。
【請求項１４】
前記プロセス手段は少なくとも前記電子写真感光体ドラムに帯電を行うための帯電部材、前記電子写真感光体ドラムに形成された潜像を現像するための現像部材、及び、前記電子写真感光体ドラムに残留するトナーを除去するためのクリーニング部材のいずれか１つを有する請求項１から７の何れか１つに記載のプロセスカートリッジ。
【請求項１５】
プロセスカートリッジを着脱可能であって、記録媒体に画像を形成するための電子写真画像形成装置において、
（ａ）モータと、
（ｂ）前記モータにより回転駆動される装置本体側ギアと
（ｃ）前記ギアと同一中心軸線上にあってねじれた面によって構成された連結穴と、
（ｄ）電子写真感光体ドラムと、
前記電子写真感光体ドラムに作用するプロセス手段と、
前記電子写真感光体ドラムの長手方向の端部に設けられた、前記連結穴と嵌合可能な連結突起であって、前記連結突起はねじれていない連結突起と、を備えており、
前記装置本体側ギアが前記連結穴と連結突起が嵌合して回転した際、前記連結穴と嵌合した前記連結突起を介して前記装置本体から前記電子写真感光体ドラムが回転駆動力を受けるプロセスカートリッジを取り外し可能に装着するための装着部材と、
（ｅ）記録媒体を搬送するための搬送部材と、
を有する電子写真画像形成装置。
【請求項１６】
プロセスカートリッジを着脱可能であって、記録媒体に画像を形成するための電子写真画像形成装置において、
（ａ）モータと、
（ｂ）前記モータからの回転力を受ける回転体と、
（ｃ）前記回転体の回転中心と同一中心で非円形断面を持つねじれた連結穴と、
（ｄ）電子写真感光体ドラムと、
前記電子写真感光体ドラムに作用するプロセス手段と、
前記電子写真感光体ドラムの回転中心と同一中心で非円形断面を有し、前記電子写真感光体ドラムの長手方向端部に設けられたねじれていない連結突起と、を有し、ここで前記電子写真感光体ドラムの前記連結突起は前記回転体の前記連結穴に対して連結突起と連結穴間に相対回転運動が許容される第１の相対回転位置と、その回転方向には相対回転運動が妨げられる第２の相対回転位置と、をとることができる寸法と形状を有し、回転体の回転中心と電子写真感光体ドラムの回転中心は実質的に調芯されるプロセスカートリッジを取り外し可能に装着する装着部材と、
（ｅ）前記記録媒体を搬送するための搬送部材と、
を有することを特徴とする電子写真画像形成装置。
【請求項１７】
プロセスカートリッジを着脱可能であって、記録媒体に画像を形成するための電子写真画像形成装置において、
（ａ）モータと、
（ｂ）前記モータにより回転駆動される装置本体側ギアと
（ｃ）前記ギアと同一中心軸線上にあってねじれていない連結突起と、
（ｄ）電子写真感光体ドラムと、
前記電子写真感光体ドラムに作用するプロセス手段と、
前記電子写真感光体ドラムの長手方向の端部に設けられた、ねじれた面で構成された連結穴と、を備えており、
前記装置本体側ギアが前記連結穴と連結突起が嵌合して回転した際、前記連結突起と嵌合した前記連結穴を介して前記装置本体から前記電子写真感光体ドラムが回転駆動力を受けるプロセスカートリッジを取り外し可能に装着するための装着部材と、
（ｅ）記録媒体を搬送するための搬送部材と、
を有する電子写真画像形成装置。
【請求項１８】
プロセスカートリッジを着脱可能であって、記録媒体に画像を形成するための電子写真画像形成装置において、
（ａ）モータと、
（ｂ）前記モータからの回転力を受ける回転体と、
（ｃ）前記回転体の回転中心と同一中心でねじれていない連結突起と、
（ｄ）電子写真感光体ドラムと、
前記電子写真感光体ドラムに作用するプロセス手段と、
前記電子写真感光体ドラムの回転中心と同一中心で前記電子写真感光体ドラムの長手方向端部に設けられたねじれた面によって構成された連結穴と、を有し、
ここで前記電子写真感光体ドラムの前記連結穴は前記回転体の前記連結突起が連結突起と連結穴間で相対回転運動を許容される第１の相対回転位置と、その回転方向には相対回転運動が妨げられる第２の相対回転位置と、をとることができる寸法と形状を有し、回転体の回転中心と電子写真感光体ドラムの回転中心は実質的に調芯されるプロセスカートリッジを取り外し可能に装着するための装着部材と、
（ｅ）前記記録媒体を搬送するための搬送部材と、
を有する電子写真画像形成装置。
【請求項１９】
プロセスカートリッジを着脱可能であって、記録媒体に画像を形成するための電子写真画像形成装置において、
（ａ）モータと、
（ｂ）前記モータにより回転駆動される装置本体側ギアと
（ｃ）前記ギアと同一中心軸線上にあってねじれていない面によって構成された連結穴と、
（ｄ）電子写真感光体ドラムと、
前記電子写真感光体ドラムに作用するプロセス手段と、
前記連結穴と嵌合するねじれた連結突起であって、前記電子写真感光体ドラムの長手方向の端部に設けられた連結突起と、を備えており、
前記装置本体側ギアが前記連結穴と連結突起が嵌合して回転した際、前記連結穴と嵌合した前記連結突起を介して前記装置本体から前記電子写真感光体ドラムが回転駆動力を受けるプロセスカートリッジを取り外し可能に装着するための装着部材と、
（ｅ）記録媒体を搬送するための搬送部材と、
を有する電子写真画像形成装置。
【手続補正２】
【補正対象書類名】明細書
【補正対象項目名】０００８
【補正方法】変更
【補正の内容】
【０００８】
本出願に係る第２の発明はモータと、前記モータからの駆動力を受ける回転体と、前記回転体の回転中心と同一中心で非円形断面を持つねじれた連結穴とを備えて記録媒体に画像を形成する電子写真画像形成装置に着脱可能なプロセスカートリッジにおいて、
電子写真感光体ドラムと、
前記電子写真感光体ドラムに作用するプロセス手段と、
前記電子写真感光体ドラムの回転中心と同一中心で非円形断面を有し、前記電子写真感光体ドラムの長手方向端部に設けられたねじれていない連結突起と、を有し、
ここで前記電子写真感光体ドラムの前記連結突起は前記回転体の前記連結穴に対して連結突起と連結穴間に相対回転運動が許容される第１の相対回転位置と、その回転方向には相対回転運動が妨げられる第２の相対回転位置と、をとることができる寸法と形状を有し、回転体の回転中心と電子写真感光体ドラムの回転中心は実質的に調芯されることを特徴とするプロセスカートリッジである。
【手続補正３】
【補正対象書類名】明細書
【補正対象項目名】０００９
【補正方法】変更
【補正の内容】
【０００９】
本出願に係る第３の発明はモータと、前記モータにより回転駆動される装置本体側ギアであって、その回転中心軸線上にねじれていない連結突起を有する装置本体側ギアを備えた電子写真画像形成装置本体に着脱可能なプロセスカートリッジであって、
電子写真感光体ドラムと、
前記電子写真感光体ドラムに作用するプロセス手段と、
前記電子写真感光体ドラムの長手方向の端部に設けられねじれた面で構成された連結穴と、
を備えており、
前記装置本体側ギアが前記連結穴と連結突起が嵌合して回転した際、前記連結突起と嵌合した前記連結穴を介して前記装置本体から前記電子写真感光体ドラムが回転駆動力を受けることを特徴とするプロセスカートリッジである。
【手続補正４】
【補正対象書類名】明細書
【補正対象項目名】００１０
【補正方法】変更
【補正の内容】
【００１０】
本出願に係る第４の発明はモータと、前記モータからの駆動力を受ける回転体と、前記回転体の回転中心と同一中心でねじれていない連結突起とを備えて記録媒体に画像を形成する電子写真画像形成装置に着脱可能なプロセスカートリッジにおいて、
電子写真感光体ドラムと、
前記電子写真感光体ドラムに作用するプロセス手段と、
前記電子写真感光体ドラムの回転中心と同一中心で前記電子写真感光体ドラムの長手方向端部に設けられた、ねじれた面によって構成された連結穴と、を有し、
ここで前記電子写真感光体ドラムの前記連結穴は前記回転体の前記連結突起に対して連結突起と連結穴間で相対回転運動が許容される第１の相対回転位置と、その回転方向には相対回転運動が妨げられる第２の相対回転位置と、をとることができる寸法と形状を有し、回転体の回転中心と電子写真感光体ドラムの回転中心は実質的に調芯されることを特徴とするプロセスカートリッジである。
【手続補正５】
【補正対象書類名】明細書
【補正対象項目名】００１１
【補正方法】変更
【補正の内容】
【００１１】
本出願に係る第５の発明はモータと、前記モータにより回転駆動される装置本体側ギアであって、その回転中心軸線上にねじれていない連結穴を有する装置本体側ギアを備えた電子写真画像形成装置本体に着脱可能なプロセスカートリッジであって、
電子写真感光体ドラムと、
前記電子写真感光体ドラムに作用するプロセス手段と、
前記連結穴と嵌合するねじれた連結突起であって、前記電子写真感光体ドラムの長手方向の端部に設けられた連結突起と、を備えており、
前記装置本体側ギアが前記連結穴と連結突起が嵌合して回転した際、前記連結穴と嵌合した前記連結突起を介して前記装置本体から前記電子写真感光体ドラムが回転駆動力を受けることを特徴とするプロセスカートリッジである。
【手続補正６】
【補正対象書類名】明細書
【補正対象項目名】００１２
【補正方法】変更
【補正の内容】
【００１２】
本出願に係る第１５の発明はプロセスカートリッジを着脱可能であって、記録媒体に画像を形成するための電子写真画像形成装置において、
（ａ）モータと、
（ｂ）前記モータにより回転駆動される装置本体側ギアと
（ｃ）前記ギアと同一中心軸線上にあってねじれた面によって構成された連結穴と、
（ｄ）電子写真感光体ドラムと、
前記電子写真感光体ドラムに作用するプロセス手段と、
前記電子写真感光体ドラムの長手方向の端部に設けられた、前記連結穴と嵌合可能な連結突起であって、前記連結突起はねじれていない連結突起と、を備えており、
前記装置本体側ギアが前記連結穴と連結突起が嵌合して回転した際、前記連結穴と嵌合した前記連結突起を介して前記装置本体から前記電子写真感光体ドラムが回転駆動力を受けるプロセスカートリッジを取り外し可能に装着するための装着部材と、
（ｅ）記録媒体を搬送するための搬送部材と、
を有する電子写真画像形成装置である。
【手続補正７】
【補正対象書類名】明細書
【補正対象項目名】００１３
【補正方法】変更
【補正の内容】
【００１３】
本出願に係る第１６の発明はプロセスカートリッジを着脱可能であって、記録媒体に画像を形成するための電子写真画像形成装置において、
（ａ）モータと、
（ｂ）前記モータからの回転力を受ける回転体と、
（ｃ）前記回転体の回転中心と同一中心で非円形断面を持つねじれた連結穴と、
（ｄ）電子写真感光体ドラムと、
前記電子写真感光体ドラムに作用するプロセス手段と、
前記電子写真感光体ドラムの回転中心と同一中心で非円形断面を有し、前記電子写真感光体ドラムの長手方向端部に設けられたねじれていない連結突起と、を有し、ここで前記電子写真感光体ドラムの前記連結突起は前記回転体の前記連結穴に対して連結突起と連結穴間に相対回転運動が許容される第１の相対回転位置と、その回転方向には相対回転運動が妨げられる第２の相対回転位置と、をとることができる寸法と形状を有し、回転体の回転中心と電子写真感光体ドラムの回転中心は実質的に調芯されるプロセスカートリッジを取り外し可能に装着する装着部材と、
（ｅ）前記記録媒体を搬送するための搬送部材と、
を有することを特徴とする電子写真画像形成装置である。
【手続補正８】
【補正対象書類名】明細書
【補正対象項目名】００１４
【補正方法】変更
【補正の内容】
【００１４】
本出願に係る第１７の発明はプロセスカートリッジを着脱可能であって、記録媒体に画像を形成するための電子写真画像形成装置において、
（ａ）モータと、
（ｂ）前記モータにより回転駆動される装置本体側ギアと
（ｃ）前記ギアと同一中心軸線上にあってねじれていない連結突起と、
（ｄ）電子写真感光体ドラムと、
前記電子写真感光体ドラムに作用するプロセス手段と、
前記電子写真感光体ドラムの長手方向の端部に設けられた、ねじれた面で構成された連結穴と、を備えており、
前記装置本体側ギアが前記連結穴と連結突起が嵌合して回転した際、前記連結突起と嵌合した前記連結穴を介して前記装置本体から前記電子写真感光体ドラムが回転駆動力を受けるプロセスカートリッジを取り外し可能に装着するための装着部材と、
（ｅ）記録媒体を搬送するための搬送部材と、
を有する電子写真画像形成装置である。
【手続補正９】
【補正対象書類名】明細書
【補正対象項目名】００１５
【補正方法】変更
【補正の内容】
【００１５】
本出願に係る第１８の発明はプロセスカートリッジを着脱可能であって、記録媒体に画像を形成するための電子写真画像形成装置において、
（ａ）モータと、
（ｂ）前記モータからの回転力を受ける回転体と、
（ｃ）前記回転体の回転中心と同一中心でねじれていない連結突起と、
（ｄ）電子写真感光体ドラムと、
前記電子写真感光体ドラムに作用するプロセス手段と、
前記電子写真感光体ドラムの回転中心と同一中心で前記電子写真感光体ドラムの長手方向端部に設けられたねじれた面によって構成された連結穴と、を有し、
ここで前記電子写真感光体ドラムの前記連結穴は前記回転体の前記連結突起が連結突起と連結穴間で相対回転運動を許容される第１の相対回転位置と、その回転方向には相対回転運動が妨げられる第２の相対回転位置と、をとることができる寸法と形状を有し、回転体の回転中心と電子写真感光体ドラムの回転中心は実質的に調芯されるプロセスカートリッジを取り外し可能に装着するための装着部材と、
（ｅ）前記記録媒体を搬送するための搬送部材と、
を有する電子写真画像形成装置である。
【手続補正１０】
【補正対象書類名】明細書
【補正対象項目名】００１６
【補正方法】変更
【補正の内容】
【００１６】
本出願に係る第１９の発明はプロセスカートリッジを着脱可能であって、記録媒体に画像を形成するための電子写真画像形成装置において、
（ａ）モータと、
（ｂ）前記モータにより回転駆動される装置本体側ギアと
（ｃ）前記ギアと同一中心軸線上にあってねじれていない面によって構成された連結穴と、
（ｄ）電子写真感光体ドラムと、
前記電子写真感光体ドラムに作用するプロセス手段と、
前記連結穴と嵌合するねじれた連結突起であって、前記電子写真感光体ドラムの長手方向の端部に設けられた連結突起と、を備えており、
前記装置本体側ギアが前記連結穴と連結突起が嵌合して回転した際、前記連結穴と嵌合した前記連結突起を介して前記装置本体から前記電子写真感光体ドラムが回転駆動力を受けるプロセスカートリッジを取り外し可能に装着するための装着部材と、
（ｅ）記録媒体を搬送するための搬送部材と、
を有する電子写真画像形成装置である。